(57)【要約】      （修正有）【課題】シャッター扉の開閉操作性が良く、且つ高さがある筐体であっても、短いコイルバネが使用できるシャッターを提供する。【解決手段】シャッター扉１と、筐体９の背面側に付設されるシャッター扉１の開閉をアシストするアシスト構造部２Ａを有し、アシスト構造部２Ａは、シャッター扉１が開いている場合にシャッター扉１を閉める方向に付勢し、シャッター扉１が閉まっている場合にシャッター扉１を開ける方向に付勢する２つのバネ体２ａ、２ｂと、筐体９の背面の高さ方向の中央部に、シャッター扉１の移動方向に沿って延びるレール部３ａと、レール部３ａ、３ｂに係止し且つレール部３ａ内に移動自在であり、バネ体２ａ、２ｂのそれぞれの一端を固定する移動係止部５ａと、シャッター扉１の後部に付設されるバネ体の他端を固定する固定係止部４を有する。【選択図】図２
2020007751.tif 000002
【特許請求の範囲】
【請求項１】
上に引き上げて筐体の前方開口を開き、下に引き下げて該開口を閉じるものであり、前方開口が開いている際、天板部から背面部に収納されるシャッター扉と、
筐体の背面側に付設されるシャッター扉の開閉をアシストするアシスト構造部と、を有し、
該アシスト構造部は、該シャッター扉が開いている場合にシャッター扉を閉める方向に付勢し、シャッター扉が閉まっている場合にシャッター扉を開ける方向に付勢する一対のバネ体と、
該筐体の背面の高さ方向の中央部に、全長高さに対して部分長さであってシャッター扉の移動方向に沿って延びるレール部と、
該レール部に係止し且つ該レール部内に移動自在であり、該バネ体の一端を固定する移動係止部と、
該シャッター扉の後部に付設される該バネ体の他端を固定する固定係止部と、を有し、することを特徴とするシャッター。
【請求項２】
該レール部は、筐体を形成する左右側板の後部の内側に、互いに対峙して付設され、
該固定係止部は、該シャッター扉の後部の外側面で且つ中央部に付設され、
シャッター扉が閉じた状態において、背面視において、一対のバネ体は、逆Ｖ字形状
にバネ付勢する状態で張設されていることを特徴とする請求項１記載のシャッター。
【請求項３】
開いたシャッター扉の背面部の前方に位置する、筐体の背面板を有し、
該レール部は、該筐体の背面板の左右方向の中央部に付設され、
該固定係止部は、該シャッター扉の後部の内側面で且つ左右方向の両側部に付設され、
シャッター扉が閉じた状態において、背面視において、一対のバネ体は、Ｖ字形状に
バネ付勢する状態で張設されていることを特徴とする請求項１記載のシャッター。
【請求項４】
バネ体は、コイルバネであることを特徴とする請求項１〜３のいずれか１項に記載のシャッター。
【請求項５】
該移動係止部が、該レール部内を移動する場合、バネ体は、実質的に無付勢の縮小状態であることを特徴とする請求項１〜４のいずれか１項に記載のシャッター。
【発明の詳細な説明】
【技術分野】
【０００１】
本発明は、開閉操作性が高く、高さがある筐体の開口を開閉するのに好適なシャッターに関するものである。
【背景技術】
【０００２】
近年、病院などの屋内で使用する与薬コンテナーは、筐体内に多段の引き出し状の棚を設け、棚段毎に、患者の１週間の与薬パレットを収納したものが知られている。このような与薬コンテナーは、筐体の前面は、開口しており、不使用時は閉めておく必要がある。高さが１ｍ〜２ｍのような与薬コンテナーの開口扉としては、開き扉やシャッターが考えられ、この中、シャッターが場所を採らず便利である。しかし、一方で、シャッターは、一般的には、開き工程及び閉じる工程の最初と最後は、初期引き上げ力を必要としたり、勢いよく閉じたりするため、開閉操作性が悪いという問題がある。
【０００３】
一方、シャッター扉の開閉操作性を高めるアシスト構造部を有するシャッターが知られている。例えば、特開２００８−２９７７０９号公報には、本体部と連結用凹部と連結用凸部とを具備するシャッター扉構成部材を樹脂材料の押出し成形によって複数形成し、隣接する２個のシャッター扉構成部材を長手方向に相対移動させることにより、一方のシャッター扉構成部材の連結用凹部と他方のシャッター扉構成部材の連結用凸部とを嵌合させ、それにより、複数のシャッター扉構成部材を相互に連結し、シャッター扉を構成したシャッターにおいて、シャッター扉をガイドするためのガイドレールを設け、シャッター扉が開放されている時にシャッター扉を閉鎖する向きに付勢し、シャッター扉が閉鎖されている時にシャッター扉を開放する向きに付勢するための２個のコイルバネを設け、シャッター扉が装着されている筺体に対して２個のコイルバネの一端を係止し、相互に連結された複数のシャッター扉構成部材のうちの１個のシャッター扉構成部材に対して２個のコイルバネの他端を係止し、２個のコイルバネの他端が係止されているシャッター扉構成部材と、そのシャッター扉構成部材に対して連結されている隣のシャッター扉構成部材とを一体化するための補強板を設け、２個のコイルバネの他端が係止されているシャッター扉構成部材が、隣のシャッター扉構成部材に対して回転できないようにするために、２個のコイルバネの他端が係止されているシャッター扉構成部材を補強板に対して押圧すると共に、コ字状に曲げ加工された補強板の端部によって、隣のシャッター扉構成部材を拘束したことを特徴とするシャッターが開示されている（請求項１）。特開２００８−２９７７０９号公報のシャッターであれば、２個のコイルバネが設けられていない場合よりも、シャッター扉の開閉操作性を向上させることができる。すなわち、シャッター扉の開け閉めの際、初期の引き上げ及び引き下げは弱い力でよく、後期は、勢いを抑制して緩やかに開閉することができる。
【先行技術文献】
【特許文献】
【０００４】
【特許文献１】特開２００８−２９７７０９号公報
【発明の開示】
【発明が解決しようとする課題】
【０００５】
しかしながら、特開２００８−２９７７０９号公報のシャッターは、高さがある筐体の場合、２個のコイルバネを長く採る必要があり、材料コスト面、バネ付勢力の決定面及びバネ寿命などにおいて問題となる。
【０００６】
従って、本発明の目的は、シャッター扉の開閉操作性が良く、且つ高さがある筐体であっても、短いコイルバネが使用できるシャッターを提供することにある。
【課題を解決するための手段】
【０００７】
すなわち、本発明は上記従来の課題を解決するものであって、上に引き上げて筐体の前方開口を開き、下に引き下げて該開口を閉じるものであり、前方開口が開いている際、天板部から背面部に収納されるシャッター扉と、筐体の背面側に付設されるシャッター扉の開閉をアシストするアシスト構造部、を有し、該アシスト構造部は、該シャッター扉が開いている場合にシャッター扉を閉める方向に付勢し、シャッター扉が閉まっている場合にシャッター扉を開ける方向に付勢する一対のバネ体と、該筐体の背面の高さ方向の中央部に、全長高さに対して部分長さであってシャッター扉の移動方向に沿って延びるレール部と、該レール部に係止し且つ該レール部内に移動自在であり、該バネ体の一端を固定する移動係止部と、該シャッター扉の後部に付設される該バネ体の他端を固定する固定係止部、を有し、することを特徴とするシャッターを提供するものである。
【０００８】
また、本発明は、該レール部は、筐体を形成する左右側板の後部の内側に、互いに対峙して付設され、該固定係止部は、該シャッター扉の後部の外側面で且つ中央部に付設され、シャッター扉が閉じた状態において、背面視において、一対のバネ体は、逆Ｖ字
形状にバネ付勢する状態で張設されていることを特徴とする前記シャッターを提供するものである。
【０００９】
また、本発明は、開いたシャッター扉の背面部の前方に位置する、筐体の背面板を有し、
該レール部は、該筐体の背面板の左右方向の中央部に付設され、該固定係止部は、該シャッター扉の後部の内側面で且つ左右方向の両側部に付設され、シャッター扉が閉じた状態において、背面視において、一対のバネ体は、Ｖ字形状にバネ付勢する状態で張設
されていることを特徴とする前記シャッターを提供するものである。
【００１０】
また、本発明は、バネ体は、コイルバネであることを特徴とする前記シャッターを提供するものである。
【００１１】
また、本発明は、該移動係止部が、該レール部内を移動する場合、バネ体は、実質的に無付勢の縮小状態であることを特徴とする前記シャッターを提供するものである。
【発明の効果】
【００１２】
本発明によれば、シャッター扉の開閉操作性が良く、且つ高さがある筐体であっても、短いコイルバネが使用できるシャッターを提供できる。すなわち、アシストとしてのバネ力が作用するのは、レール部材が上下方向に占める以外の領域であり、バネ長さは短くてよい。
【図面の簡単な説明】
【００１３】
【図１】本発明の第１の実施の形態におけるシャッターの斜視図である。
【図２】図１のシャッターの背面から見た斜視図である。
【図３】図１のシャッターの背面図である。
【図４】図１のシャッターの第１アシスト工程の最後における斜視図である。
【図５】図４のシャッターの背面図である。
【図６】図１のシャッターの第１アシスト工程後の中間工程の最後における斜視図である。
【図７】図６のシャッターの第２アシスト工程の最初における斜視図である。
【図８】図１のシャッターの開いた状態における斜視図である。
【図９】図８のシャッターの背面から見た斜視図である。
【図１０】図１のシャッターの分解斜視図である。
【図１１】本発明の第２の実施の形態におけるシャッターの斜視図である。
【図１２】図１１のシャッターの背面から見た斜視図である。
【図１３】図１１のシャッターの背面図である。
【図１４】図１１のシャッターの第１アシスト工程の最後における斜視図である。
【図１５】図１４のシャッターの背面図である。
【図１６】図１１のシャッターの第１アシスト工程後の中間工程の最後における斜視図である。
【図１７】図１６のシャッターの第２アシスト工程の最初における斜視図である。
【図１８】図１１のシャッターの開いた状態における斜視図である。
【図１９】図１８のシャッターの背面から見た斜視図である。
【図２０】図１１のシャッターの分解斜視図である。
【発明を実施するための形態】
【００１４】
本明細書において、「上下」及び「前後」は、シャッターの設置状態における方向を言う。本発明のシャッターにおいて、シャッター扉としては、所定長さ及び所定幅を有する可撓性の樹脂板及び特開２００８−２９７７０９号公報に記載のような、本体部と連結用凹部と連結用凸部とを具備するシャッター扉構成部材の連結体が挙げられる。シャッター扉は、開ける際は、手動で引き上げられ、上方側から背面側に移動して背面側に収納される。閉じる際は、例えば、上部に位置する引手を引き下げることで、前面開口を閉じるものである。
【００１５】
本発明のシャッターが使用される筐体としては、高さが概ね１ｍ〜２ｍのものが好ましく、例えば病院などで使用される与薬コンテナーが挙げられる。高さが２ｍ程度であっても、２本のバネ体の長さは短くてよく、シャッター扉の開閉操作性は良好である。シャッター扉の両側縁部が嵌り移動自在に遊嵌するガイド部は、Ｉ字断面の溝形状でよく、前面開口両側、天井裏及び背面両側にかけて連続した溝が好ましい。
【００１６】
本発明のバネ体としては、ゴム製の線材及びコイルバネが挙げられ、この中、コイルバネがバネ性能及び耐久性の点で好ましい。
【００１７】
次に、本発明の第１の実施の形態におけるシャッターについて、図１〜図１０を参照して説明する。シャッター１０は、シャッター扉１と、アシスト構造部２Ａを有する。シャッター扉１は、筐体の前面開口の開口幅より少し大の幅寸法と、閉じた状態において、天井裏を経由して背面に至り、後端が背面の上部となるような奥行き寸法を有する樹脂製の可撓性の板状体である。シャッター扉１の後端が背面の上部に位置することで、筐体の背面側に設置されるアシスト構造部２Ａと接続できる。すなわち、シャッター扉１は、上に引き上げて筐体９の前方開口ｘを開き、下に引き下げて開口ｘを閉じるものであり、前方開口ｘが開いている際、天板部（天井裏）から背面部に収納される。また、シャッター扉１の前方部には、シャッター扉１を上げ下げする取っ手１１１が形成されている。筐体９は、天板９１、左右両側板９２ａ、９２ｂ及び背面板９３を有し、シャッター扉１をガイドするガイド溝９６が、前面開口両側、天井裏及び背面両側にかけて形成されている。図中、符合Ｘは前方側であり、符合Ｙは後方側である。
【００１８】
シャッター１０で使用されるアシスト構造部２Ａは、筐体９の背面側に付設されるものであり、シャッター扉１の開閉をアシストする。アシスト構造部２Ａは、一対のコイルバネ２ａ、２ｂと、レール部３ａ、３ｂを有する。２本のコイルバネ２ａ、２ｂは同じバネ特性と同じ長さのものである。シャッター扉１の後部１２の外側面（後方面）で且つ中央部には、２本のコイルバネ２ａ、２ｂのそれぞれの１端が係止する固定係止部４が付設されている。固定係止部４は、シャッター扉１の後部１２の中央に付設された長尺状で金属製の固定板状体１１３の左右方向の中央に付設される。これにより、樹脂製のシャッター扉１に、固定係止部４を強固に固定できる。固定係止部４は、本例では、ビス型の突起である。
【００１９】
レール部３ａ、３ｂは、筐体９側に付設される。すなわち、筐体９には、開いたシャッター扉の背面部１１５の後方に位置する一対の左右部材９２１ａ、９２１ｂが形成されており、レール部３ａ、３ｂは、この一対の左右部材９２１ａ、９２１ｂの高さ方向の中央部に、全長高さに対して部分長さで、対峙する位置に付設される。一対の左右部材９２１ａ、９２１ｂは、本例では、筐体９の左右側板であり、ガイド溝９６の後方の内側面である。
【００２０】
レール部３ａ、３ｂは、長尺の板状体に凹状の縦長の係止溝が形成されたものであり、長さ方向の中心が、シャッター扉１が閉じた状態の固定係止部４の位置と、開いた状態の固定係止部４の位置間の長さ（ｈ2）の中心（半分）とほぼ一致するものが好ましい（図３参照）。凹状の係止溝は、溝口が筐体の内側に向いており、開口部の幅が小で、内部の溝幅が大のものが、移動係止部５ａ、５ｂが係止し易く、且つ係止溝内において、シャッター扉１が移動する方向に移動し易い点で好ましい。これにより、最初の第１アシスト距離と最後の第２アシスト距離が一致し、開閉操作がし易くなる。また、レール部３ａ、３ｂは、全長高さに対して部分高さを有し、レール部３ａ、３ｂの溝長さ（ｈ1）は、（ｈ2）の１/３〜３/４、好ましくは１/２前後である。溝長さ（ｈ1）が長過ぎると、アシスト距離が短くなり、溝長さ（ｈ1）が短過ぎると、アシスト距離が長くなり、バネ長さが大となる。なお、全長高さとは、シャッター扉１の移動長さと同じ意味である。レール部３ａ、３ｂには、移動係止部５ａ、５ｂが係止する。移動係止部５ａ、５ｂは、レール部の溝内に係止すると共に、レール部の溝内に移動自在である。
【００２１】
２本のコイルバネ２ａ、２ｂにおいて、１本のコイルバネの縮小長さは、対峙するレール部３ａ、３ｂ間距離の半分程度とすることが、移動係止部５ａ、５ｂがレール部３ａ、３ｂ内を移動する間は、無付勢の縮小状態でよく、バネ長さを短くできる点で好ましい。１本のコイルバネ２ａは、一端が固定係止部４に係止され、他端が移動係止部５ａに固定される。また、他の１本のコイルバネ２ｂは、一端が固定係止部４に係止され、他端が移動係止部５ｂに固定される。そして、シャッター扉１が閉じた状態において、背面視において、２つのコイルバネ２ａ、２ｂは、バネが付勢された状態で、上下逆さのＶ字形状に張設されている（図３参照）。
【００２２】
次に、シャッター１０におけるシャッター扉１の開閉動作について説明する。シャッター扉１が筐体９の前方の開口ｘを閉じた状態は、図１〜図３である。この状態において、２つのコイルバネ２ａ、２ｂは、バネが付勢された状態で、一端が固定係止部４に、他端が移動係止部５ａ、５ｂに係止し、逆Ｖ字形状に張設されている（図３参照）。こ
の状態において、２つのコイルバネ２ａ、２ｂは、シャッター扉を開ける方向に付勢している。このため、シャッター扉１を上方に引き上げる際、コイルバネ２ａ、２ｂがない状態に比して、小さな力で引き上げることができる。引き上げられたシャッター扉１の初期は、２つのコイルバネ２ａ、２ｂが水平状態となるまでコイルバネのバネ付勢が作用し、移動係止部５ａ、５ｂは、レール部３ａ、３ｂの溝の上端に止まっており、図４及び図５の部分開き状態までアシストされる（第１アシスト工程）。なお、図２及び図３のように、２つのコイルバネ２ａ、２ｂが付勢された状態において、シャッター扉１が静止しているのは、バネの付勢力より、シャッター扉１とガイド部９６との摩擦力が勝っているからである。
【００２３】
次に、シャッター扉１の引き上げを続けると、図４〜図５のアシスト無しの工程となる。すなわち、２つのコイルバネ２ａ、２ｂが水平状態となり、更にシャッター扉１が引き上げられると、２つのコイルバネ２ａ、２ｂは、その水平状態を維持しつつ、移動係止部５ａ、５ｂがレール部３ａ、３ｂの溝内を下方へ移動することになる（図６及び図７）。図５〜図７は、アシスト無しの工程ではあるものの、シャッター扉１を引き上げる力が続いており、シャッター扉１を円滑に開けることができる。
【００２４】
更に、シャッター扉１を開き続けると、２つのコイルバネ２ａ、２ｂを留める移動係止部５ａ、５ｂがレール部３ａ、３ｂの下端で止まるため、水平状態の２つのコイルバネ２ａ、２ｂは、背面視においてバネ付勢状態のＶ字状態となる（図９）。すなわち、シャッター扉１の引き上げの後期において、２つのコイルバネ２ａ、２ｂは、シャッター扉１を閉める方向に付勢するため、シャッター扉１を開ける勢いは抑制され、緩やかに静かに開き操作は終了する（第２アシスト工程）。
【００２５】
シャッター１０によれば、シャッター扉１の開閉操作性が良く、且つ高さがある筐体９であっても、短いコイルバネで足りる。すなわち、アシストとしてのバネ力が作用するのは、レール部材３ａ、３ｂが上下方向に占める以外の領域であり、バネ長さは短くてよい。
【００２６】
次に、本発明の第２の実施の形態におけるシャッター１０ａについて、図１１〜図２０を参照して説明する。シャッター１０ａは、シャッター扉１と、アシスト構造部２Ｂを有する。シャッター扉１は、筐体の前面開口の開口幅より少し大の幅寸法と、閉じた状態において、天井裏を経由して背面に至り、後端が背面の上部となるような奥行き寸法を有する樹脂製の可撓性の板状体である。シャッター扉１の後端が背面の上部に位置することで、筐体の背面側に設置されるアシスト構造部２Ｂと接続できる。すなわち、シャッター扉１は、上に引き上げて筐体９の前方開口ｘを開き、下に引き下げて開口ｘを閉じるものであり、前方開口ｘが開いている際、天板部（天井裏）から背面部に収納される。筐体９は、天板９１、左右両側板９２ａ、９２ｂ及び背面板９３を有し、シャッター扉１をガイドするガイド溝９６が、前面開口両側、天井裏及び背面両側にかけて形成されている。図中、符合Ｘは前方側であり、符合Ｙは後方側である。
【００２７】
シャッター１０で使用されるアシスト構造部２Ｂは、筐体９の背面側に付設されるものであり、シャッター扉１の開閉をアシストする。アシスト構造部２Ｂは、一対のコイルバネ２ｃ、２ｄと、１本のレール部６を有する。２本のコイルバネ２ａ、２ｂは同じバネ特性と同じ長さのものである。シャッター扉１の後部１２の内側面で且つ両側部には、２本のコイルバネ２ｃ、２ｄのそれぞれの１端が係止する固定係止部４ａ、４ｂが付設されている。固定係止部４ａ、４ｂは、シャッター扉１の後端部に付設された金属製の長尺状の固定板状体１１３ａの左右の端部に付設される。これにより、樹脂製のシャッター扉１に、固定係止部４ａ、４ｂを強固に固定できる。固定係止部４ａ、４ｂは、本例では、ビス型の突起である。
【００２８】
レール部３ｃは、筐体９の背面板９３であって、左右方向の中央部に縦長状に付設される。背面板９３は、開いたシャッター扉１の背面部の前方に位置するもので、正面から見ると、背面板９３の後方に位置するアシスト構造部２Ｂは見えない。レール部３ｃは、背面板９３の高さ方向の中央部に、全長高さに対して部分長さで付設されている。なお、全長高さとは、シャッター扉１の移動長さと同じ意味である。
【００２９】
レール部３ｃは、長尺の板状体に凹状の縦長の縦長の係止溝が形成されたものであり、長さ方向の中心が、シャッター扉１が閉じた状態の固定係止部４ａ、４ｂの位置と、開いた状態の固定係止部４ａ、４ｂの位置間の長さ（ｈ4）の中心（半分）とほぼ一致するものが好ましい（図１３参照）。凹状の係止溝の溝口は、後方側に向いており、開口部の幅が小で、内部の溝幅が大のものが、移動係止部５ｃが係止し易く、且つ移動し易い点で好ましい。これにより、最初のアシスト距離と最後のアシスト距離が一致し、開閉操作がし易くなる。また、レール部３ｃの溝長さ（ｈ3）は、（ｈ4）の１/３〜３/４、好ましくは１/２前後である。レール部３ｃの溝長さ（ｈ3）が長過ぎると、アシスト距離が短くなり、溝長さ（ｈ3）が短過ぎると、アシスト距離が長くなり、バネ長さが大となる。レール部３ｃには、移動係止部５ｃが係止する。移動係止部５ｃは、レール部３ｃの溝内に係止すると共に、レール部３ｃの溝内においてシャッター扉１が移動する方向に移動自在である。
【００３０】
２本のコイルバネ２ｃ、２ｄにおいて、１本のコイルバネの縮小長さは、左右の固定係止部４ａ、４ｂ間距離の半分程度とすることが、移動係止部５ｃがレール部３ｃ内を移動する間は、バネ付勢無しの縮小状態であり、バネ長さを短くできる点で好ましい。１本のコイルバネ２ｃは、一端が固定係止部４ａに係止され、他端が移動係止部５ｃに固定される。また、他の１本のコイルバネ２ｄは、一端が固定係止部４ｂ係止され、他端が移動係止部５ｃに固定される。そして、シャッター扉１が閉じた状態において、背面視において、２つのコイルバネ２ｃ、２ｄは、バネが付勢された状態で、Ｖ字形状に張
設されている（図１３参照）。
【００３１】
次に、シャッター１０ａにおけるシャッター扉１の開閉動作について説明する。シャッター扉１が筐体９の前方の開口ｘを閉じた状態は、図１１〜図１３である。この状態において、２つのコイルバネ２ｃ、２ｄは、バネが付勢された状態で、一端がそれぞれ固定係止部４ａ、４ｂに、他端が移動係止部５ｃに係止し、Ｖ字形状に張設されている（
図１３参照）。この状態において、２つのコイルバネ２ｃ、２ｄは、シャッター扉１を開ける方向に付勢している。このため、シャッター扉１を上方に引き上げる際、コイルバネ２ｃ、２ｄがない状態に比して、小さな力で引き上げることができる。引き上げられたシャッター扉１の初期は、２つのコイルバネ２ｃ、２ｄが水平状態となるまでコイルバネのバネ付勢が作用し、移動係止部５ｃは、レール部３ｃの溝の上端６１に止まっており、図１４及び図１５の部分開き状態までアシストされる（第１アシスト工程）。なお、図１２及び図１３のように、２つのコイルバネ２ｃ、２ｄが付勢された状態において、シャッター扉１が静止しているのは、バネの付勢力より、シャッター扉１とガイド部９６との摩擦力が勝っているからである。
【００３２】
次に、シャッター扉１の引き上げを続けると、図１４〜図１５のアシスト無しの工程となる。すなわち、２つのコイルバネ２ｃ、２ｄが水平状態となり、更にシャッター扉１が引き上げられると、２つのコイルバネ２ｃ、２ｄは、その水平状態を維持しつつ、移動係止部５ｃがレール部３ｃの溝内を下方へ移動することになる（図１６及び図１７）。図１５〜図１７は、アシスト無しの工程ではあるものの、シャッター扉１を引き上げる力が続いており、シャッター扉１を円滑に開けることができる。
【００３３】
更に、シャッター扉１を開き続けると、２つのコイルバネ２ｃ、２ｄを留める移動係止部５ｃがレール部３ｃの下端６２で止まるため、水平状態の２つのコイルバネ２ｃ、２ｄは、バネ付勢状態の逆Ｖ字状態となる（図１９）。すなわち、２つのコイルバネ２ｃ、２ｄは、シャッター扉１を閉める方向に付勢するため、シャッター扉１を開ける勢いは抑制され、緩やかに静かに開き操作は終了する（第２アシスト工程）。
【００３４】
シャッター１０ａによれば、シャッター扉１の開閉操作性が良く、且つ高さがある筐体９であっても、短いコイルバネで足りる。すなわち、アシストとしてのバネ力が作用するのは、レール部材３ｃが上下方向に占める以外の領域であり、バネ長さは短くてよい。
【００３５】
本発明において、上記実施の形態に限定されず、種々の変形を採ることができる。第１の実施の形態において、筐体の背面板は無くてもよい。この場合、シャッター扉１が開いた場合、筐体の正面からアシスト構造体２Ａが見えるものの、アシスト作用には影響しない。また、本発明のシャッター１を備える筐体は、横置きでもよい。この場合、シャッター１は横方向に開閉される。シャッター扉１の取っ手１１１は、図１に示すような把持形状に限定されず、例えば、シャッター面に指が掛かる凹部を、１個又はシャッター移動方向に複数個を形成したものでもよい。
【産業上の利用可能性】
【００３６】
本発明によれば、シャッター扉の開閉操作性が良く、且つ高さがある筐体であっても、短いコイルバネが使用できるシャッターを提供できる。このため、病院で使用される与薬コンテナーなど室内で使用される比較的高さがあるものにおいて、特に効果が顕著に表れる。
【符号の説明】
【００３７】
１    シャッター扉
２Ａ、２Ｂ      アシスト構造部
２ａ〜２ｄ    コイルバネ
３ａ〜３ｃ    レール部
４、４ａ、４ｂ    固定係止部
５ａ〜５ｃ    移動係止部
９    筐体
１０、１０ａ  シャッター
９１  天板
９２ａ、９２ｂ    左右両側板
９３    背面板
９６    ガイド溝
【図１】
2020007751.tif 000003
【図２】
2020007751.tif 000004
【図３】
2020007751.tif 000005
【図４】
2020007751.tif 000006
【図５】
2020007751.tif 000007
【図６】
2020007751.tif 000008
【図７】
2020007751.tif 000009
【図８】
2020007751.tif 000010
【図９】
2020007751.tif 000011
【図１０】
2020007751.tif 000012
【図１１】
2020007751.tif 000013
【図１２】
2020007751.tif 000014
【図１３】
2020007751.tif 000015
【図１４】
2020007751.tif 000016
【図１５】
2020007751.tif 000017
【図１６】
2020007751.tif 000018
【図１７】
2020007751.tif 000019
【図１８】
2020007751.tif 000020
【図１９】
2020007751.tif 000021
【図２０】
2020007751.tif 000022